(57)【要約】【課題】軽量化して作業性、施工性を高めるとともにコンクリートとの付着性やコンクリート補強性を高め、スラブ施工性、信頼性を向上している。【解決手段】多数の小孔２を形成した有孔薄鉄板５に補強用メッシュ筋８を溶接して組み合わせた補強用メッシュ筋付き有孔メタルプレート１０に形成して、その有孔メタルプレートを複数の折曲線Ｏ―Ｏで折曲して上面部１０ａと両側面部１０ｂ及び突出下面部１０ｃを具備した下向き溝形状に構成し、又は前記の上面部と両側面部を具備した下向き溝形状に構成し、さらにまたは前記の上面部と両側面部及び下面部１０ｄからなる筒状に構成したスラブ形成用のメッシュ筋付き有孔メタルプレート製ボイド２０ａ，２０ｂ，２０ｃに特徴を有する。また、前記のボイドの端部形状に対応させて形成した閉鎖面部１５ａとその一面側に付設した嵌合部１５ｂとからなり、そのボイド端面に嵌着されるポイド端部閉鎖用キャップ１５ａ，１５ｂに特徴を有する。【選択図】  図１
2004162424.tif 000002
【特許請求の範囲】
【請求項１】
多数の小孔を形成した有孔薄鉄板に補強用メッシュ筋を溶接して組み合わせたメッシュ筋付き有孔メタルプレートに形成して、この有孔メタルプレートを複数の折曲線で折曲して上面部とこの両側縁部から連設した両側面部及び両側面部の下縁部から外方に折曲して連設した突出下面部を具備して下向き溝状に構成したことを特徴とするスラブ形成用の補強用メッシュ筋付き有孔メタルプレート製ボイド。
【請求項２】
請求項１に記載の補強用メッシュ筋付き有孔メタルプレート製ボイドにおいて、前記の上面部とこの上面部の両側縁部から連設した両側面部とを具備して下向き溝状に構成したことを特徴とするスラブ形成用の補強用メッシュ筋付き有孔メタルプレート製ボイド。
【請求項３】
請求項２に記載のスラブ形成用の補強用メッシュ補強筋付き有孔メタルプレート製ボイドにおいて、前記の上面部と両側面部とともに両側面部の下縁部間に連設して付設した下面部を具備して筒状に構成したことを特徴とするスラブ形成用の補強用メッシュ筋付き有孔メタルプレート製ボイド。
【請求項４】
請求項１、請求鋼２又は請求項３記載のスラブ形成用の補強用メッシュ筋付き有孔メタルプレート製ボイドにおいて、前記の有孔メタルプレート製ボイドの端部形状に対応させて形成した閉鎖面部とその一面側に付設した嵌合部とを具備し、前記の有孔メタルプレート製ボイドの端面に嵌着して閉鎖するポイド端部閉鎖用キャップ。
【発明の詳細な説明】
【０００１】
【発明の属する技術分野】
本発明は、各種の建造物における床スラブ等の内部に埋設して、スラブ内に中空部を形成してスラブ厚さ（成り）を大きく形成する補強用メッシュ筋付き有孔メタルプレート製ボイド及びそのボイド端部閉鎖用キャップに関する。
【０００２】
【従来の技術】
各種の建造物の床スラブ内に埋設して、内部に中空部を形成してスラブ高さ（成り）を大きくして施工する従来のボイドは、金属製又は構成樹脂製の筒状ボイドが一般的になつているが、最近は、帯状金属板をスパイラルに形成したスパイラル帯状金属板製筒状ボイドや発泡スチロールで形成した発泡スチロール製筒状ボイドが開発されている。
【０００３】
【発明が解決しようとする課題】
前記のスパイラル帯状金属板製筒状ボイドは、比較的に重量物に形成されて作業性や施工性とともにコンクリート付着性やコンクリート補強性に欠けるなどの課題がある。発泡スチロール製筒状ボイドは、軽量に特徴があるがスラブ施工に重要なコンクリート補強性に欠けるなどの課題がある。
【０００４】
本発明は、前記のような課題を解決するために開発されたものであって、その目的とする処は、軽量化して作業性、施工性を高めるとともにコンクリートとの付着性やコンクリート補強性を高めてスラブ施工性、信頼性を向上した補強用メッシュ筋付き有孔メタルプレート製ボイドとそのボイド端部閉鎖用キャップを提供するにある。
【０００５】
【課題を解決するための手段】
本発明は、前記のような構成からなり多数の小孔を形成した有孔薄鉄板に補強用としてメッシュ筋を溶接して組み合わせた補強用メッシュ筋付き有孔メタルプレートに形成して、この有孔メタルプレートを複数の折曲線で折曲して上面部と両側面部及び突出下面部を具備した下向き溝形状に構成し、又は前記の上面部と両側面部とを具備した下向き溝形状に構成し、又は前記の上面部と両側面部とともに下面部を具備して筒状に構成したスラブ形成用の補強用メッシュ筋付き有孔メタルプレート製ボイドに特徴を有する。
【０００６】
また、前記の補強用メッシュ筋付き有孔メタルプレート製ボイドの端部形状に対応させて形成した閉鎖面部とその一面側に付設した嵌合部とからなり、前記の有孔メタルプレート製ボイドの端面に嵌着して使用するポイド端部閉鎖用キャップに特徴を有する。
【０００７】
前記の補強用メッシュ筋付き有孔メタルプレート製ボイドは、ほぼ全域的に多数の小孔を形成した有孔薄鉄板と補強用メッシュ筋とを溶接して重合し組み合わせた補強用メッシュ筋付き有孔メタルプレートによつて製造され、軽量で補強されて低コストで提供されるとともに、スラブ施工部に容易に搬入されて所要の箇所に精度良く配置されて変形し難い。前記の有孔メタルプレート製ボイド内へのコンクリートの流入は、ポイド端部ではボイド端部閉鎖用キャップの嵌着によつて防止され、下向き溝形状の下側開口部では、２段階のコンクリート打設によつて解消され、その上面部や側面部及び下面部では、コンクリート中の骨材によって各小孔が目詰まりされてコンクリートミルクの流通が程よく阻止されその内側に中空部が効果的に形成される。また、上面部や側面部及び下面部が中空部周壁のコンクリート内に程良く埋設されてコンクリート補強筋として効果的に機能されるとともに、スラブ内層部の養生、硬化が促進されてスラブ内外部が均質に速く施工されるなど、スラブのスラブ構築の作業性、施工性、信頼性が効果的に高められている。
【０００８】
【発明の実施の形態】
図１に本発明の補強用メッシュ筋付き有孔メタルプレート製ボイドを製造する補強用メッシュ筋付き有孔メタルプレートの一実施例、図２に本発明の補強用メツシユ鉄筋付き有孔薄鉄板製ボイドの第１実施例、図３Ａ，Ｂにその第２実施例及び第３実施例、図４Ａ，Ｂにボイド端部を閉鎖するボイド端部閉鎖用キャップの第１実施例及び第２実施例、図５に床スラブ施工の一実施例を示している。図中５は有孔薄鉄板、８は補強用メッシュ筋、９は有孔薄鉄板と補強用メッシュ筋との溶接、１０は補強用メッシュ筋付き有孔メタルプレート、２０ａはその有孔メタルプレートによつて形成された上面部１０ａと両側面部１０ｂ及び突出下面部１０ｃを具備して下向き溝状に形成された補強用メッシュ筋付き有孔メタルプレート製ボイド（第１実施例）、２０ｂはその上面部と両側面部を具備して下向き溝状に形成された補強用メッシュ筋付き有孔メタルプレート製ボイド（第２実施例）、２０ｃは前記の上面部と両側面部及び下面部を具備して筒状に形成された補強用メッシュ筋付き有孔メタルプレート製ボイド（第３実施例）、Ｏ−Ｏは折曲線である。
【０００９】
本発明の補強用メッシュ筋付きの有孔メタルプレート製ボイド２０ａ，２０ｂ，２０ｃは、補強用メッシュ筋８付き有孔メタルプレート１０によつて製造される。この補強用メッシュ筋付き有孔メタルプレート１０は、図１に示すようにほぼ全域的に多数の小孔２を形成した有孔薄鉄板５と補強用メッシュ筋８とによつて形成される。その有孔薄鉄板５には、薄鉄板に多数のスリツトを形成して一方向に引っ張り各スリツトを小孔２に広げて形成したエキスパンドメタルプレートや、薄鉄板に多数の小孔を穿設して形成した多孔メタルプレート等が適用され、前記の補強用メッシュ筋８は、比較的に小径の鉄線や鋼線、異形鉄筋等６，７を縦横に交差させて好ましくはその交差部を溶接９して形成される。この補強用メッシュ筋８と有孔薄鉄板５を重ね合わせて相互に溶接９して組み合わせて補強用メッシュ筋８付き有孔メタルプレート１０として構成される。前記の有孔薄鉄板５の小孔２は、強調させて大きく図示しているが、実際にはコンクリート中の骨材により目詰まりを生じてコンクリートミルクの流通が妨げられる程度に小さく形成される。図示外の多様な形状にも形成される。また、補強用メッシュ筋８の交差部の溶接は、有孔薄鉄板５との溶接９によつて兼用可能である。
【０００１０】
前記の補強用メッシュ補強筋付き有孔メタルプレート製ボイド２０ａ（第１実施例）は、図２Ａ，Ｂに示すように前記の補強用メッシュ筋付き有孔メタルプレート１０によつて製造される。即ち、その補強用メッシュ筋付き有孔メタルプレート１０を複数の折曲線Ｏ―Ｏの部分で矢示のように折曲して上面部１０ａとこの両側縁部に連設された両側面部１０ｂ及び両側面部１０ｂの下縁部から外方に折曲して連設された突出下面部１０ｃを形成して下向き溝状に構成されている。
【００１１】
前記の補強用メッシュ補強筋付き有孔メタルプレート製ボイド２０ｂ（第２実施例）は、前記の補強用メッシュ筋付き有孔メタルプレート１０の両側部分の１０ｃを除去して変形した補強用メッシュ筋付きの有孔メタルプレート１０によつて製造される。即ち、前記のように変形した補強用メッシュ筋付き有孔メタルプレート１０を図３Ａに示すように複数の折曲線Ｏ―Ｏで折曲して上面部１０ａとこの上面部１０ａの両側縁部に連設した側面部１０ｂを形成して下向き溝状に構成されている。
【００１２】
前記の補強用メッシュ補強筋付き有孔メタルプレート製ボイド２０ｃ（第３実施例）は、図１に示す補強用メッシュ筋付き有孔メタルプレート１０の一側部分１０ｃを除去して他側部分１０ｃを上面部１０ａと同様な形状に変形した補強用メッシュ筋付き有孔メタルプレート１０によつて製造される。即ち、変形した補強用メッシュ筋付き有孔メタルプレート１０を図３Ｂに示すように複数の折曲線Ｏ―Ｏで折曲して上面部１０ａとこの両側縁部１０ｂ及びその下縁部間に溶接９などして連設した下面部１０ｂを形成して横断矩形状や正方形状の筒状に構成されている。
【００１３】
ポイド端部閉鎖用キャップ１５ａ（第１実施例）は、図４Ａに示すように前記の補強用メッシュ筋付き有孔メタルプレート製ボイド２０ａ，２０ｂの端部形状に対応した形状の閉鎖面部１０ａと、その一面側に付設した嵌合部１０ａ−１０ｂからなり、前記の有孔メタルプレート製ボイド２０ａ又は２０ｂの端部に嵌着して閉鎖するように構成されている。
【００１４】
ポイド端部閉鎖用キャップ１５ｂ（第２実施例）は、図４Ｂに示すように前記の補強用メッシュ筋付き有孔メタルプレート製ボイド２０ｃの端部形状に対応した形状の閉鎖面部１０ａとその一面側に付設した嵌合部１０ａ−１０ｂ−１０ｄとからなる横断矩形状又は横断正方形状に形成され、前記の有孔メタルプレート製ボイド２０ｃの端部に嵌着して閉鎖するように構成されている。前記のポイド端部閉鎖用キャップ１５ａ，１５ｂは、有孔薄板材５と補強用メッシュ筋８からなる前記の補強用メッシュ筋付き有孔メタルプレート１０によつても製造される。
【００１５】
前記の補強用メッシュ筋付き有孔メタルプレート製ボイド２０ａ（第１実施例）を使用して床スラブを構築する場合は、図５Ａに示すように各種の建築物の柱や梁等（図示省略）の間に架設されたデツキプレートやプレキヤストプレート、型枠等（符号省略）の上側に適宜のスペーサ−３１を配置し、スペーサ−上に下端梁主筋３２を縦横に配置して、波状筋３０ｂと好ましくは異形鉄筋製の上弦筋３０ａ及び下弦筋３０ａとからなる複数のラチス筋３０を、下端梁主筋３２上に適宜の間隔で立設して、一次的にコンクリートＣ１を型枠の上側にラチス筋３０の下部まで一転鎖線のように打設して適度に養生した後、図５Ｂ，Ｃに示すように複数の補強用メッシュ筋付き有孔メタルプレート製ボイド２０ａの端部にポイド端部閉鎖用キャップ１５ａを嵌着して閉塞し、このポイド端部閉鎖用キャップ１５ａ付きの補強用メッシュ筋付き有孔メタルプレート製ボイド２０ａを各ラチス筋３０の間において前記の一次打設のコンクリートＣ１上に配置し、各ラチス筋３０の上弦筋３０ａ上に上端梁主筋３３を縦横に配置して、一次打設のコンクリートＣ１上にラチス筋３０の間から上端梁主筋３３上までコンクリートＣ２を二次的に打設して養生して施工する。各補強用メッシュ筋付き有孔メタルプレート製ボイド２０ａの内部に中空部Ｓが形成されて床スラブとして構築される。
【００１６】
また、前記の補強用メッシュ筋付き有孔メタルプレート製ボイド２０ｂ（第２実施例）を使用してスラブを構築する場合は、前記のスラブ施工において、ポイド端部閉鎖用キャップ１５ａ付きの補強用メッシュ筋付き有孔メタルプレート製ボイド２０ｂに配置換えする程度の変更で同様な構造の床スラブに構築される。前記の補強用メッシュ筋付き有孔メタルプレート製ボイド２０ｃ（第３実施例）を使用してスラブを構築する場合は、前記のスラブ施工において、ポイド端部閉鎖用キャップ１５ｂ付きの補強用メッシュ筋付き有孔メタルプレート製ボイド２０ｃに配置換えする程度の変更で同様な構造の床スラブに構築される。この場合はスラブの全域にわたってコンクリートを一段階で打設することが可能となる。
【００１７】
前記のスラブ施工において、補強用メッシュ筋付き有孔メタルプレート製ボイド２０ａ，２０ｂ，２０ｃは、ほぼ全域的に多数の小孔２を形成した有孔薄鉄板５と補強用メッシュ筋８とを溶接９して重合させて組み合わせた補強用メッシュ筋付き有孔メタルプレート１０（図１参照）によつて製造され、効果的に軽量化、強化されて変形し難い構造となり低コストで提供されて、スラブ施工部に容易に搬入して所要の箇所に精度良く配置されて変形し難い。前記の補強用メッシュ筋付き有孔メタルプレート製ボイド内へのコンクリートの流入は、その端部では、ポイド端部閉鎖用キャップ１５ａ又は１５ｂの嵌着、閉鎖によつて防止されるとともにその下向き溝状の下側開口部では、２段階のコンクリート打設によによつて解消される。また、その上面部１０ａや側面部２０ｂ及び下面部２０ｄでは、コンクリート中の骨材によってその各小孔２が目詰まりされてコンクリートミルクの流通が程よく阻止されて防止されて、その内部に中空部Ｓが所要の形状に効果的に形成される。また、その上面部１０ａや側面部２０ｂ、下面部２０ｄが中空部Ｓの周壁のコンクリートに程良く埋設されてコンクリート補強筋として効果的に機能し、スラブ内層部の養生、硬化が促進されてスラブの内外部が均質に施工されスラブ強度が効果的に高められるなど、スラブ構築の作業性、施工性、信頼性が著しく高められる。また、図示のラチス筋３０のようにその上弦筋３０ａ及び下弦筋３０ａを異形鉄筋製にすることにより、下端梁主筋３２、上端梁主筋３３が節減されてその配筋作業が簡便となる。
【００１８】
図示の有孔薄鉄板５の小孔２は、打設されるコンクリート中の骨材によって目詰まりとなり易く、その目詰まりよりコンクリートミルクの流通が程良く妨げれられて、ボイドの内部に中空部が好適に形成される程度に図示例よりも適度に小さく形成され各種の形状にも形成される。図示例のラチス筋のほかに各種の構造のものが適用される。図示のスラブ施工は図示例に限らず多様に変形される。
【００１９】
【発明の効果】
本発明は、前述のような構成からなる補強用メッシュ筋付き有孔メタルプレートを複数の折曲線で折曲して上面部と両側面部及び突出下面部を具備した下向き溝形状に構成され、又はその上面部と両側面部を具備した下向き溝形状に構成され、又はその上面部と両側面部とともに下面部を具備した筒状に構成されたスラブ形成用の補強用メッシュ筋付き有孔メタルプレート製ボイドに特徴を有し、また、前記のボイドの端部形状に対応させて形成した閉鎖面部とその一面側に付設した嵌合部とからなるポイド端部閉鎖用キャップに特徴を有し、ポイド端部閉鎖用キャップは、好ましくは前記のように補強用メッシュ筋付き有孔メタルプレート製ボイドの端部に嵌着して施工される。
【００２０】
補強用メッシュ筋付き有孔メタルプレート製ボイドは、前記のような構成の補強用メッシュ筋付き有孔メタルプレートによつて製造され、効果的に軽量化、強化されて低コストで提供される。スラブ施工部に容易に搬入して所要の箇所に精度良く配置されて変形し難い。ボイド内へのコンクリートの流入は、端部では、ポイド端部閉鎖用キャップの嵌着によつて防止され、下向き溝形状の下側開口部では、２段階のコンクリート打設によつて解消され、上面部や側面部及び下面部では、コンクリートの骨材により各小孔が目詰まりされてコンクリートミルクの流通が阻止されてその内部に中空部が所要の形状に効果的に形成される。また、その上面部１０ａや側面部２０ｂ及び下面部２０ｄが中空部Ｓの周壁のコンクリートに程良く埋設されてコンクリート補強筋として効果的に機能し、スラブ内層部の養生、硬化が促進されてスラブの内外部が均質に施工されてスラブ強度が効果的に高められるなど、スラブ構築の作業性、施工性、信頼性を著しく向上されている。
【図面の簡単な説明】
【図１】本発明の補強用メッシュ筋付き有孔メタルプレートを製造する補強用メッシュ筋付き有孔メタルプレートの一実施例を示す平面図
【図２】補強用メツシユ筋付き有孔薄鉄板製ボイドの第１実施例を示すその端面図（Ａ）及び側面図（Ｂ）
【図３】補強用メツシユ筋付き有孔薄鉄板製ボイドの第２実施例を示す端面図（Ａ）及びその第３実施例を示す端面図（Ｂ）
【図４】ボイド端部閉鎖用キャップの第１実施例を示す斜視図（Ａ）及びその第２実施例を示す斜視図（Ｂ）
【図５】スラブ施工法の第１工程を示す側視図（Ａ）とその第２工程を示す側視図（Ｂ）及び第２工程を示す側視図（Ｃ）である。
【符号の説明】
１    薄鉄板（有孔薄鉄板）
２    小孔（有孔薄鉄板）
５    有孔薄鉄板
８    補強用メッシュ筋
９    溶接
１０  補強用メッシュ筋付き有孔メタルプレート
１０ａ  上面部
１０ｂ  側面部
１０ｃ  突出下面部
１０ｄ  下面部
２０ａ，２０ｂ，２０ｃ  補強用メッシュ筋付き有孔メタルプレート製ボイド
【図１】
2004162424.tif 000003
【図２】
2004162424.tif 000004
【図３】
2004162424.tif 000005
【図４】
2004162424.tif 000006
【図５】
2004162424.tif 000007